(57)【要約】【課題】  観測データの回収が容易であり、操作部の操作、表示部の表示内容の確認が容易なデータ収録装置を提供する。【解決手段】  ケース本体３と、ケース本体３の開口部を開閉する蓋２２とからなるケース２を有し、ケース２内に観測データを記憶する記憶部、電源等が収納される。ケース本体３に蝶番を介して蓋２２が回動自在に連結され、蓋２２はクランプ機構３０によりケース本体３の開口部に固定される。【選択図】      図１
2005173778.tif 000002
【特許請求の範囲】
【請求項１】
ケース本体と、該ケース本体の開口部を開閉する蓋とからなるケースを有し、該ケース内に観測データを記憶する記憶部、表示部、操作部、電源等が収納されるデータ収録装置であって、
前記蓋を蝶番を介して前記ケース本体に回動自在に連結するとともに、前記蓋と前記ケース本体との間に、両者間を締め付けることにより固定するクランプ機構を設けたことを特徴とするデータ収録装置。
【請求項２】
前記蓋と前記ケース本体との間に、前記蓋を所定の回動角度に保持するロック機構を設けたことを特徴とする請求項１に記載のデータ収録装置。
【請求項３】
前記蝶番は、前記蓋側に一体に設けられる可動片と、該可動片に対応する前記ケース本体側の部分に一体に設けられる固定片と、前記可動片と前記固定片とを相対的に回動自在に連結する連結軸とからなることを特徴とする請求項１又は２に記載のデータ収録装置。
【請求項４】
前記ロック機構は、前記蓋又は前記ケース本体の何れか一方に設けられる係合溝と、前記蓋又は前記ケース本体の何れか他方に設けられるとともに、前記係合溝と係合可能な係合突起とからなることを特徴とする請求項１から３の何れかに記載のデータ収録装置。
【請求項５】
前記係合溝を前記蓋の可動片又は前記ケース本体の固定片の何れか一方の周面に設け、該係合溝に対応する前記ケース本体又は前記蓋の部分に前記係合突起を設けたことを特徴とする請求項４に記載のデータ収録装置。
【請求項６】
前記ケース本体の開口周縁部にシール部材を設けるとともに、該シール部材に対応する前記蓋の周縁部にシール部材を設け、前記ケース本体と前記蓋との間で前記両シール部材を圧縮することにより前記ケース本体と前記蓋との間をシールするように構成したことを特徴とする請求項１から５の何れかに記載のデータ収録装置。
【請求項７】
前記ケース本体の一部に内外を貫通する通気パイプを設け、該通気パイプを介して前記ケース内を大気開放させるように構成したことを特徴とする請求項１から６の何れかに記載のデータ収録装置。
【請求項８】
前記蓋に、表示部及び操作部を設け、該表示部を蓋の表面側から視認可能、該操作部を蓋の表面側から操作可能としたことを特徴とする請求項１から７の何れかに記載のデータ収録装置。
【発明の詳細な説明】
【技術分野】
【０００１】
本発明は、風向、風速、雨量、温度、湿度、水位等の観測データを収録するデータ収録装置に関する。
【背景技術】
【０００２】
上記観測データを収録するデータ収録装置には、例えば図５及び図６に示すように構成されたものがある。すなわち、このデータ収録装置４１は、上部が開口する箱状のケース本体４３と、ケース本体４３の開口部を開閉する蓋４４とからなるケース４２を有し、ケース４２内には観測データを記憶する記憶部、観測データ等を表示する表示部４５、各種の操作を行なう操作部４６、電源等が収納されている（非特許文献１参照）。
【０００３】
このように構成されたデータ収録装置４１は、観測地点に設置され、風向センサ等により周期的に観測された観測場所の風向データ（観測データ）を記憶部に順次記録することにより、観測地点における一定期間の観測データを収録する。そして、データ収録装置４１の記憶部に記憶された観測データは、メモリカード等の記憶媒体を用いて外部に回収される。
【非特許文献１】横河電子機器株式会社、カタログ（Ｍ５５６１−１０−００、フィールドμ）、２０００年８月第１０版
【発明の開示】
【発明が解決しようとする課題】
【０００４】
ところで、上記のような構成のデータ収録装置４１にあっては、防水性、防塵性等を高めるために、ケース４２のケース本体４３及び蓋４４をアルミニウムダイカスト製としているため、ケース４２のケース本体４３及び蓋４４の製造コストが高くついてしまい、データ収録装置４１全体としての価格が高くなってしまう。
【０００５】
また、蓋４４は、４本のネジ４７によってケース本体４３に固定されているため、観測データを回収する場合に、４本のネジ４７を緩めて蓋４４をケース本体４３から取り外さなければならず、また、ケース本体４３の開口部を蓋４４で閉塞する場合には、４本のネジ４７を締め付けて蓋４４をケース本体４３に固定しなければならず、蓋４４の脱着に非常に手間がかかり、観測データの回収に手間がかかってしまう。
【０００６】
さらに、表示部４５及び操作部４６がケース４２内に収納されているため、操作部４６の操作、表示部４５の表示内容の確認を行なう際に、蓋４４をケース本体４３から取り外さなければならず、操作部４６の操作、表示部４５の表示内容の確認に非常に手間がかかってしまう。
【０００７】
本発明は、ケースの製造コストを安く抑えることができて、装置全体としての価格を安く抑えることができるとともに、観測データの回収が容易であり、さらに、操作部の操作、表示部の表示内容の確認が容易なデータ収録装置を提供することを目的とするものである。
【課題を解決するための手段】
【０００８】
上記目的を達成するために、本発明では、ケース本体と、該ケース本体の開口部を開閉する蓋とからなるケースを有し、該ケース内に観測データを記憶する記憶部、表示部、操作部、電源等が収納されるデータ収録装置であって、前記蓋を蝶番を介して前記ケース本体に回動自在に連結するとともに、前記蓋と前記ケース本体との間に、両者間を締め付けることにより固定するクランプ機構を設ける、という解決手段を採用する。
【発明の効果】
【０００９】
本発明によれば、クランプ機構によりケース本体と蓋との間の固定状態を解除し、蓋をケース本体に対して回動させることにより、ケース内を開放させることができる。また、蓋をケース本体に対して回動させて、ケース本体と蓋との間をクランプ機構で締め付けることにより、ケース本体の開口部を蓋で閉塞した状態に固定することができる。したがって、観測データを回収する際の蓋の開閉が容易となるので、観測データの回収作業が容易となる。
【発明を実施するための最良の形態】
【００１０】
以下、図面を参照して、本発明の一実施形態について説明する。
図１〜図４は、本実施形態に係るデータ収録装置の構成を示す図であり、このうち図１は全体を示す斜視図、図２は図１の側面図、図３は図２の部分拡大図、図４は図１の部分拡大断面図である。このデータ収録装置１は、風向、風速、雨量、温度、湿度、水位等の観測データを収録するものであり、風向等を観測するセンサからの観測データを収録する記憶部等が収納されたケース本体３と蓋２２とからなるケース２とを備えている。
【００１１】
ケース本体３は、各種の合成樹脂を成形材料として各種のプラスチック成形法により一体に成形されるものであって、長方形板状の底板４と、底板４の周縁部に一体に立設される角環状の周壁５とを備えている。ケース本体２の底板４と周壁５とによって囲まれる部分には、上部が開口する空所が設けられ、この空所内にセンサからの観測データを収録する記憶部、一定期間データ収録装置１を無人で作動させるための電源等が収納されている。
【００１２】
ケース本体３の周壁５は、底板４の各長辺に対応する部分に設けられる前壁６及び後壁８と、各短辺に対応する部分に設けられる左側壁９及び右側壁１０とからなり、前壁６には、ケース本体３の内外を貫通する貫通孔７が複数箇所（この実施の形態では３箇所）に設けられている。ケース本体３の前壁６の各貫通孔７には、それぞれプラグタイプのコネクタ（ケーブルグラウンド）１４が取り付けられている。
【００１３】
プラグタイプのコネクタ１４は、互いに接合、分離可能な雄形コンタクト１５と雌形コンタクト１６とからなるものであって、この実施の形態においては、雄形コンタクト１５をケース本体３の各貫通孔７に取り付け、各雄形コンタクト１５に対して雌形コンタクト１６を接合、分離可能としている。雌形コンタクト１６には、ケーブル１７を介して各種のセンサ（図示せず）が接続され、雌形コンタクト１６を雄形コンタクト１５に接合させることにより、各種のセンサが観測した風向、風速、雨量、温度、湿度、水位等のデータをケース２内の記憶部に送って収録することができる。
【００１４】
右端に位置するコネクタ１４には、水系の水位等を観測する圧力センサ（図示せず）がケーブル１７を介して接続される。この場合、圧力センサには、圧力センサの内部を大気開放させるためのチューブ１８が接続され、このチューブ１８はコネクタ１４の雌形コンタクト１６及び雄形コンタクト１５を貫通してケース２内に開放されている。コネクタ１４の雌形コンタクト１６及び雄形コンタクト１５には、ケース本体３の内外を連通する通気パイプ１９が設けられ、この通気パイプ１９を介してケース２内が大気開放されている。
【００１５】
すなわち、水系の水位等を観測するには、大気圧と水圧との差圧を圧力センサによって観測し、この観測した差圧を水位に換算することにより水位を求めているため、圧力センサの内部を大気圧と同じ状態にする必要がある。このため、圧力センサの内部をチューブ１８を介してケース２内に開放させ、ケース２内を通気パイプ１９を介して大気開放させている。この場合、通気パイプ１９には、大径孔２０と小径孔２１とが一連に設けられ、これらの大径孔２０及び小径孔２１によってケース２内が大気開放されるとともに、大径孔２０が水膜によって閉塞されるのを防止している。なお、水系の水位等を観測する圧力センサは必要に応じて取り付ければ良いものであり、不使用時には盲キャップ等をコネクタ１４に被嵌させておけば良い。
【００１６】
ケース本体３の底板の四隅には、支持板１１が外方に突出した状態でそれぞれ一体に設けられ、この支持板１１の中央部には、外側が開口するＵ形状のネジ挿通用の孔１２が設けられ、各ネジ挿通用孔１２内に挿通させたネジ（図示せず）を盤面等に固定することにより、ケース本体３を盤面等に固定することができる。
【００１７】
蓋２２は、ケース本体３同様に、各種の合成樹脂を成形材料として各種のプラスチック成形法により成形されるものであって、ケース本体３の開口部に合致する長方形板状に形成されている。蓋２２の左端部には、蓋２２の内外面間を貫通する四角形状の開口部２３が設けられ、この開口部２３に観測データ等を表示する表示部２４、及び各種の設定、操作等を行なう操作釦を有する操作部２５が設けられ、蓋２２の表面側から表示部２４の表示内容の確認、操作部２５の操作釦の操作を行うことができるようになっている。
【００１８】
ケース本体３の後壁８の両端部とそれに対応する蓋２２の部分との間にはそれぞれ蝶番２６が設けられ、この蝶番２６を介してケース本体３の開口部に蓋２２が回動自在に連結される。蝶番２６は、ケース本体３の後壁８の外面側の両端部に一体に設けられる固定片２７と、この固定片２７に対応する蓋２２の部分に一体に設けられる可動片２８と、固定片２７と可動片２８とを相対的に回動自在に連結する連結軸２９とを備えている。
【００１９】
固定片２７及び可動片２８は、中心部に軸線方向に貫通する貫通孔（図示せず）を有する円柱状をなすものであって、両貫通孔の軸線を一致させた状態で両貫通孔内に連結軸２９を挿通させ、固定片２７と可動片２８とを相対的に回動自在に連結することで、ケース本体３の開口部に蓋２２が相対的に回動自在に連結される。
【００２０】
ケース本体３の前壁６の中央部には所定の深さの窪み部１３が設けられ、この窪み部１３内にケース本体３と蓋２２との間を締め付けることにより、ケース本体３の開口部に蓋２２を固定するクランプ機構３０が設けられている。クランプ機構３０としては、例えば、ケース本体３側に設けた突起と蓋２２側に設けた突起とをバンドによって挟持固定する方法等が挙げられる。但し、これに限定することなく、ケース本体３と蓋２２との間を挟持して固定できる方法であれば良い。
【００２１】
蓋２２とケース本体３との間には、蓋２２を所定の回動角度に保持するロック機構３１が設けられている。ロック機構３１は、蓋２２の可動片２８の周面に設けられる係合溝３２と、蓋２２の可動片２８に対向するケース本体３の部分に設けられるとともに、蓋２２の可動片２８の係合溝３２と係合可能な係合突起３３とから構成され、この係合溝３２と係合突起３３とを係合させることにより、蓋２２が所定の回動角度に保持される。
【００２２】
なお、この実施の形態においては、可動片２８の周面の２箇所に係合溝３２を設け、蓋２２を回動方向の２箇所で保持するように構成しているが、係合溝３２を１つ又は３つ以上設けて、蓋２２を回動方向の１箇所又は３箇所以上の箇所で保持するように構成しても良い。また、ロック機構３１の係合突起３３を蓋２２の可動片２８側に設け、その係合突起３３に対応するケース本体３の部分に係合溝３２を設けても良い。
【００２３】
ケース本体３の開口周縁部にはゴム等からなるシール部材３４が設けられるとともに、このシール部材３４に対応する蓋２２の内面側の部分にはゴム等からなるシール部材３５が設けられ、これらのシール部材３４、３５をケース本体３と蓋２２との間で圧縮することにより、ケース本体３と蓋２２との間がシールされる。
【００２４】
そして、上記のように構成したこの実施の形態によるデータ収録装置１を観測地点に設置し、風向センサ等により観測場所の風向等を周期的に観測し、この観測データをデータ収録装置１に送って記憶部に記録することにより、観測地点における一定期間の観測データを収録することができる。そして、周期的に記憶媒体を用いて記憶部に収録されている観測データを回収し、回収した観測データをパーソナルコンピューター等に出力することにより、観測地点の一定期間における風向等の観測データを得ることができる。
【００２５】
このように構成されたデータ収録装置１にあっては、ケース２のケース本体３及び蓋２２を合成樹脂を成形材料としてプラスチック成形法により一体に成形しているので、ケース本体３及び蓋２２の製造コストを安く抑えることができる。従って、データ収録装置１全体の価格を安く抑えることができる。
【００２６】
また、観測データを回収する場合には、クランプ機構３０による蓋２２とケース本体３との固定状態を解除し、蓋２２をケース本体３に対して相対的に回動させてケース本体３の開口部を開放させれば良いので、観測データの回収作業が容易となる。さらに、観測データの回収後に、蓋２２でケース本体３の開口部を閉塞するには、蓋２２を回動させてケース本体３の開口部を閉塞し、この状態でクランプ機構３０によって蓋２２とケース本体３との間を締め付けるだけでよいことになる。従って、蓋２２の開閉作業が容易となる。
【００２７】
さらに、蓋２２は、ロック機構３１の係合溝３２と係合突起３３とを係合させることにより、所定の回動角度に保持することができるので、ケース２の設置位置、設置方向、設置角度等に係わらず、ケース本体３の開口部を開放させた状態で観測データの回収作業等を行なうことができるので、観測データの回収作業等が容易となる。
【００２８】
さらに、ケース本体３側のシール部材３４と蓋２２側のシール部材３５とを圧縮させることにより、ケース本体３と蓋２２との間をシールしているので、風雨に晒されるような苛酷な条件下に設置しても、ケース２内に水分、塵芥等が入り込むようなことはなく、一定期間の観測データを高精度で収録することができる。
【００２９】
さらに、水系の水位等を観測する場合には、通気パイプ１９によってケース２内を大気開放させることができ、しかも通気パイプ１９の大径孔２０及び小径孔２１が水膜によって閉塞されることがないので、一定期間の水位等の観測データを高精度で収録することができる。
【００３０】
さらに、表示部２４に表示される観測データ等の表示内容を蓋２２の外側から確認することができるとともに、操作部２５の操作釦を蓋の外側から操作することができるので、表示部２４の表示内容の確認、操作部２５の操作釦の操作が容易となる。
【図面の簡単な説明】
【００３１】
【図１】本発明によるデータ収録装置の一実施の形態の全体を示した斜視図である。
【図２】図１の側面図であって、蓋を開いた状態を示した説明図である。
【図３】図２の部分拡大図である。
【図４】図１の部分拡大断面図である。
【図５】従来のデータ収録装置の一例の全体を示した斜視図である。
【図６】従来のデータ収録装置において蓋を開放させた状態を示した斜視図である。
【符号の説明】
【００３２】
１…データ収録装置、２…ケース、３…ケース本体、１９…通気パイプ、２２…蓋、２４…表示部、２５…操作部、２６…蝶番、２７…固定片、２８…可動片、２９…連結軸、３０…クランプ機構、３１…ロック機構、３２…係合溝、３３…係合突起、３４、３５…シール部材
【図１】
2005173778.tif 000003
【図２】
2005173778.tif 000004
【図３】
2005173778.tif 000005
【図４】
2005173778.tif 000006
【図５】
2005173778.tif 000007
【図６】
2005173778.tif 000008